(57)【要約】【課題】配管の施工を容易にすることができる温水暖房装置を提供する。【解決手段】本発明の一態様に係る温水暖房装置は、第１側板と、第１側板と対向する第２側板と、第１側板及び第２側板に連なる底板とを有する筐体と、底板上に配置され、かつ第１側板から第２側板に向かう方向である第１方向に沿って配列された複数の第１配管接続口を有する第１往き配管ヘッダと、底板上に配置され、かつ第１方向に沿って配列された複数の第２配管接続口を有する第２往き配管ヘッダと、底板上に配置され、かつ第１方向に沿って配列された複数の第３配管接続口を有する戻り配管ヘッダとを備える。最も第１側板から近い位置にある第１配管接続口は、最も第１側板から離れた位置にある第２配管接続口よりも第２側板側にある。【選択図】図３
2019095105.tif 000002
【特許請求の範囲】
【請求項１】
第１側板と、前記第１側板と対向する第２側板と、前記第１側板及び前記第２側板に連なる底板とを有する筐体と、
前記底板に配置され、かつ前記第１側板から前記第２側板に向かう方向である第１方向に沿って配列された複数の第１配管接続口を有する第１往き配管ヘッダと、
前記底板に配置され、かつ前記第１方向に沿って配列された複数の第２配管接続口を有する第２往き配管ヘッダと、
前記底板に配置され、かつ前記第１方向に沿って配列された複数の第３配管接続口を有する戻り配管ヘッダとを備え、
最も前記第１側板に近い位置にある前記第１配管接続口は、最も前記第１側板から離れた位置にある前記第２配管接続口よりも前記第２側板側にある、温水暖房装置。
【請求項２】
前記戻り配管ヘッダは、前記第１往き配管ヘッダと前記第２往き配管ヘッダとの間に配置される、請求項１に記載の温水暖房装置。
【請求項３】
前記第１配管接続口の各々は、直線状に配置され、
前記第２配管接続口の各々は、直線状に配置され、
前記第３配管接続口の各々は、直線状に配置される、請求項２に記載の温水暖房装置。
【請求項４】
隣り合う前記第１配管接続口の間の距離、隣り合う前記第２配管接続口の間の距離及び隣り合う前記第３配管接続口の間の距離は、互いに等しい、請求項３に記載の温水暖房装置。
【請求項５】
隣り合う前記第１配管接続口及び前記第３配管接続口の各々の中心を結んだ直線は、前記第３配管接続口の中心を結んだ直線と直交し、
隣り合う前記第２配管接続口及び前記第３配管接続口の各々の中心を結んだ直線は、前記第３配管接続口の中心を結んだ直線と直交する、請求項４に記載の温水暖房装置。
【請求項６】
前記底板からの前記第１配管接続口のとび出し代、前記底板からの前記第２配管接続口のとび出し代及び前記底板からの前記第３配管接続口のとび出し代は、互いに等しい、請求項１〜請求項５のいずれか１項に記載の温水暖房装置。
【請求項７】
前記第１往き配管ヘッダ、前記第２往き配管ヘッダ及び前記戻り配管ヘッダは、それぞれ、一体の部材から構成されている、請求項１〜請求項６のいずれか１項に記載の温水暖房装置。
【請求項８】
前記第１往き配管ヘッダに供給される湯水の温度は、前記第２往き配管ヘッダに供給される湯水の温度よりも低い、請求項１〜請求項７のいずれか１項に記載の温水暖房装置。
【請求項９】
前記第１往き配管ヘッダに供給される湯水の温度は、前記第２往き配管ヘッダに供給される湯水の温度よりも高い、請求項１〜請求項７のいずれか１項に記載の温水暖房装置。
【発明の詳細な説明】
【技術分野】
【０００１】
本発明は、温水暖房装置に関する。
【背景技術】
【０００２】
従来から、例えば、非特許文献１（株式会社ノーリツ、ガス温水暖房システム総合カタログ第３４頁、２０１７年８月）に記載のガス温水暖房付ふろ給湯器が知られている。
【０００３】
非特許文献１に記載のガス温水暖房付ふろ給湯器は、筐体と、第１往き配管ヘッダと、第２往き配管ヘッダと、戻り配管ヘッダとを有している。筐体は、第１側板と、第２側板と、底板とを有している。第１側板と第２側板とは、互いに対向している。第１往き配管ヘッダ、第２往き配管ヘッダ及び戻り配管ヘッダは、底板に配置されている。
【０００４】
第１往き配管ヘッダは、複数の第１配管接続口を有している。第２往き配管ヘッダは、複数の第２配管接続口を有している。戻り配管ヘッダは、複数の第３配管接続口を有している。第１配管接続口及び第２配管接続口は、配管を介して、第３配管接続口に接続される。すなわち、第１往き配管ヘッダ及び第２往き配管接続口に供給された湯水は、各々の室内に配置された暖房端末において暖房動作を行った後に、戻り配管ヘッダに戻る。
【０００５】
なお、その他の従来例として、特許第３９２８５４９号公報（特許文献１）に記載の複合熱源機が知られている。
【先行技術文献】
【特許文献】
【０００６】
【特許文献１】特許第３９２８５４９号公報
【非特許文献】
【０００７】
【非特許文献１】株式会社ノーリツ、ガス温水暖房システム総合カタログ第３４頁、２０１７年８月
【発明の概要】
【発明が解決しようとする課題】
【０００８】
しかしながら、非特許文献１に記載のガス温水暖房付ふろ給湯器においては、第１配管接続口及び第２配管接続口と第３配管接続口とを配管で接続する際に、各々の配管が交差してしまうおそれがある。その結果、非特許文献１に記載のガス温水暖房付ふろ給湯器においては、配管の施工が複雑化するおそれがある。
【０００９】
本発明は、上記のような従来技術の問題点に鑑みてなされたものである。より具体的には、本発明は、配管の施工を容易にすることができる温水暖房装置を提供する。
【課題を解決するための手段】
【００１０】
本発明の一態様に係る温水暖房装置は、第１側板と、第１側板と対向する第２側板と、第１側板及び第２側板に連なる底板とを有する筐体と、底板に配置され、かつ第１側板から第２側板に向かう方向である第１方向に沿って配列された複数の第１配管接続口を有する第１往き配管ヘッダと、底板に配置され、かつ第１方向に沿って配列された複数の第２配管接続口を有する第２往き配管ヘッダと、底板に配置され、かつ第１方向に沿って配列された複数の第３配管接続口を有する戻り配管ヘッダとを備える。最も第１側板から近い位置にある第１配管接続口は、最も第１側板から離れた位置にある第２配管接続口よりも第２側板側にある。
【００１１】
上記の温水暖房装置において、戻り配管ヘッダは、第１往き配管ヘッダと第２往き配管ヘッダとの間に配置されていてもよい。
【００１２】
上記の温水暖房装置においては、第１配管接続口の各々は、直線状に配置されていてもよい。第２配管接続口の各々は、直線状に配置されていてもよい。第３配管接続口の各々は、直線状に配置されていてもよい。
【００１３】
上記の温水暖房装置においては、隣り合う第１配管接続口の間の距離、隣り合う第２配管接続口の間の距離及び隣り合う第３配管接続口の間の距離は、互いに等しくてもよい。
【００１４】
上記の温水暖房装置においては、隣り合う第１配管接続口及び第３配管接続口の各々の中心を結んだ直線は、第３配管接続口の中心を結ぶ直線と直交していてもよい。隣り合う第２配管接続口及び第３配管接続口の各々の中心を結んだ直線は、第３配管接続口の中心を結んだ直線と直交していてもよい。
【００１５】
上記の温水暖房装置においては、底板からの第１配管接続口のとび出し代、底板からの第２配管接続口のとび出し代及び底板からの第３配管接続口のとび出し代は、互いに等しくてもよい。
【００１６】
上記の温水暖房装置においては、第１往き配管ヘッダ、第２往き配管ヘッダ及び戻り配管ヘッダは、それぞれ、一体の部材から構成されていてもよい。
【００１７】
上記の温水暖房装置においては、第１往き配管ヘッダに供給される湯水の温度は、第２往き配管ヘッダに供給される湯水の温度よりも低くてもよい。上記の温水暖房装置においては、第１往き配管ヘッダに供給される湯水の温度は、第２往き配管ヘッダに供給される湯水の温度よりも高くてもよい。
【発明の効果】
【００１８】
本発明の一態様に係る温水暖房装置において、最も第１側板に近い位置にある第１配管接続口は、最も第１側板から遠い位置にある第２配管接続口よりも、第２側板側にあるため、第１配管接続口と第３配管接続口とを接続する配管が、第２配管接続口と第３配管接続口とを接続する配管が交差しにくい。したがって、この場合には、配管の施工を容易にすることができる。
【図面の簡単な説明】
【００１９】
【図１】実施形態１に係る温水暖房装置１００の模式図である。
【図２】実施形態１に係る温水暖房装置１００の斜視図である。
【図３】実施形態１に係る温水暖房装置１００の底面図である。
【図４】実施形態１に係る温水暖房装置１００における往き配管ヘッダ６ａの断面模式図である。
【図５】実施形態１に係る温水暖房装置１００における往き配管ヘッダ６ｂの断面模式図である。
【図６】実施形態１に係る温水暖房装置１００における戻り配管ヘッダ７の断面模式図である。
【図７】実施形態１に係る温水暖房装置１００の側面模式図である。
【図８】比較例に係る温水暖房装置２００の底面図である。
【図９】実施形態２に係る温水暖房装置１１０の底面図である。
【図１０】実施形態２に係る温水暖房装置１１０における往き配管ヘッダ６ａの断面模式図である。
【発明を実施するための形態】
【００２０】
本発明の実施形態の詳細を、図面を参照して説明する。なお、以下の図面においては、同一又は相当する部分に同一の符号を付すものとし、重複する説明は繰り返さない。
【００２１】
（実施形態１に係る温水暖房装置）
以下に、実施形態１に係る温水暖房装置１００の構成を説明する。
【００２２】
実施形態１に係る温水暖房装置１００は、図１に示すように、一次熱交換器１ａと、二次熱交換器１ｂと、バーナ２と、配管３ａと、配管３ｂと、配管３ｃと、配管３ｄと、配管３ｅと、配管３ｆと、タンク４と、ポンプ５と、往き配管ヘッダ６ａと、往き配管ヘッダ６ｂと、戻り配管ヘッダ７とを有している。
【００２３】
配管３ａの一方端は、配管３ｂの一方端と配管３ｃの一方端とが接続している部分に接続されている。配管３ａの他方端は、タンク４に接続されている。配管３ｂの他方端は、一次熱交換器１ａに接続されている。
【００２４】
配管３ｃの他方端は、往き配管ヘッダ６ａに接続されている。配管３ｄの一方端は、一次熱交換器１ａに接続されている。配管３ｄの他方端は、往き配管ヘッダ６ｂに接続されている。
【００２５】
配管３ｅの一方端は、戻り配管ヘッダ７に接続されている。配管３ｅの他方端は、二次熱交換器１ｂに接続されている。配管３ｆの一方端は、二次熱交換器１ｂに接続されている。配管３ｆの他方端は、タンク４に接続されている。ポンプ５は、配管３ａの経路上に配置されている。バーナ２は、一次熱交換器１ａの近傍に配置されている。
【００２６】
実施形態１に係る温水暖房装置１００の動作は、以下のとおりである。すなわち、上水道から供給され、タンク４に貯留されている水は、ポンプ５により、配管３ａ及び配管３ｂを介して、一次熱交換器１ａに供給される。一次熱交換器１ａに供給された水は、バーナ２との間で熱交換を行うことにより、湯となる。この湯は、配管３ｄを介して、往き配管ヘッダ６ｂに供給される。
【００２７】
往き配管ヘッダ６ｂに供給された湯は、往き配管ヘッダ６ｂにおいて、複数の配管３ｇに分配されて、複数の温水暖房端末８ａ（高温暖房端末）に供給される。複数の温水暖房端末８ａに供給された湯は、暖房動作を行うことにより、温度が低下する。複数の温水暖房端末８ａに供給された湯水は、複数の配管３ｈを介して、戻り配管ヘッダ７に供給される。
【００２８】
戻り配管ヘッダ７に供給された湯は、配管３ｅを介して、二次熱交換器１ｂに供給される。二次熱交換器１ｂに供給された湯は、バーナ２の余熱との間で熱交換を行うことにより、温度が上昇する。この温度が上昇した湯は、配管３ｆを介してタンク４に戻る。
【００２９】
タンク４に貯留されている湯は、ポンプ５により、配管３ａ及び配管３ｃを介して往き配管ヘッダ６ａに供給される。そのため、往き配管ヘッダ６ａに供給される湯の温度は、往き配管ヘッダ６ｂに供給される湯の温度よりも低い。
【００３０】
往き配管ヘッダ６ａに供給された湯は、往き配管ヘッダ６ａにおいて、複数の配管３ｉに分配されて、複数の温水暖房端末（低温暖房端末）８ｂに供給される。複数の温水暖房端末８ｂに供給された湯は、暖房動作を行うことにより温度が低下する。複数の温水暖房端末８ｂに供給された湯は、複数の配管３ｊを介して、戻り配管ヘッダ７に供給される。
【００３１】
図２に示すように、実施形態１に係る温水暖房装置１００は、筐体１０を有している。図示していないが、筐体１０の内部には、一次熱交換器１ａ、二次熱交換器１ｂ、バーナ２、配管３ａ、配管３ｂ、配管３ｃ、配管３ｄ、配管３ｅ、配管３ｆ、タンク４及びポンプ５が収納されている。
【００３２】
筐体１０は、第１側板１１と、第２側板１２と、第３側板１３と、第４側板１４と、底板１５と、天板１６とを有している。第２側板１２は、第１側板１１と対向している。以下においては、第１側板１１から第２側板１２に向かう方向を、第１方向ＤＲ１とする。第４側板１４は、第３側板１３に対向している。第３側板１３及び第４側板１４は、第１側板１１及び第２側板１２に連なっている。
【００３３】
図３に示すように、底板１５には、往き配管ヘッダ６ａ、往き配管ヘッダ６ｂ及び戻り配管ヘッダ７が配置されている。戻り配管ヘッダ７は、第１方向ＤＲ１に交差する第２方向ＤＲ２において、往き配管ヘッダ６ａ及び往き配管ヘッダ６ｂの間に配置されている。
【００３４】
往き配管ヘッダ６ａは、複数の配管接続口６ａａを有している。配管接続口６ａａの数は、例えば６である。但し、配管接続口６ａａの数は、これに限られるものではない。配管接続口６ａａは、第１方向ＤＲ１に沿って配置されている。好ましくは、配管接続口６ａａは、第１方向に沿って直線状に配置されている。
【００３５】
往き配管ヘッダ６ｂは、複数の配管接続口６ｂａを有している。配管接続口６ｂａの数は、例えば４である。但し、配管接続口６ｂａの数は、これに限られるものではない。配管接続口６ｂａは、第１方向ＤＲ１に沿って配置されている。好ましくは、配管接続口６ｂａは、第１方向ＤＲ１に沿って直線状に配置されている。
【００３６】
戻り配管ヘッダ７は、複数の配管接続口７ａを有している。配管接続口７ａの数は、配管接続口６ａａ及び配管接続口６ｂａの合計数に等しい。但し、配管接続口７ａの数は、これに限られるものではない。配管接続口７ａの数は、配管接続口６ａａ及び配管接続口６ｂａの合計数以上であればよい。配管接続口７ａは、第１方向ＤＲ１に沿って配置されている。好ましくは、配管接続口７ａは、第１方向ＤＲ１に沿って直線状に配置されている。
【００３７】
第２側板１２からの近さの順位が同順位の配管接続口６ａａ及び配管接続口７ａが、互いに接続される。具体的には、最も第２側板１２に近い配管接続口６ａａは最も第２側板１２に近い配管接続口７ａに接続され、２番目に第２側板１２に近い配管接続口６ａａは２番目に第２側板１２に近い配管接続口７ａに接続され、以下の順位についても同様である。このような接続関係は、図３中において点線により示されている。
【００３８】
第１側板１１からの近さの順位が同順位の配管接続口６ｂａ及び配管接続口７ａが、互いに接続される。具体的には、最も第１側板１１に近い配管接続口６ｂａは最も第１側板１１に近い配管接続口７ａに接続され、２番目に第１側板１１に近い配管接続口６ｂａは２番目に第１側板１１に近い配管接続口７ａに接続され、以下の順位についても同様である。このような接続関係は、図３中において点線により示されている。
【００３９】
最も第１側板１１に近い位置にある配管接続口６ａａは、最も第１側板１１から遠い位置にある配管接続口６ｂａよりも、第２側板１２側にある。このことを別の観点からいえば、往き配管ヘッダ６ａに設けられている複数の配管接続口６ａａと往き配管ヘッダ６ｂに設けられている複数の配管接続口６ｂａとは、第１方向ＤＲ１において、互いに重ならないように配置されている。
【００４０】
図４に示すように、往き配管ヘッダ６ａは、第１部分６ａｂと、第２部分６ａｃと、連結部６ａｄとを有している。連結部６ａｄは、第１部分６ａｂと第２部分６ａｃとを連結している。
【００４１】
第１部分６ａｂは、複数の熱動弁６ａｂａが連結された構造を有している。熱動弁６ａｂａは、配管接続口６ａａへの湯水の通水・止水を制御する。第２部分６ａｃは、第１部分６ａｂと同様の構成を有している。すなわち、第２部分６ａｃは、複数の熱動弁６ａｃａが連結された構造を有している。連結部６ａｄの内部には、流路６ａｄａが設けられている。流路６ａｄａは、配管３ｃに接続されている。流路６ａｄａは、熱動弁６ａｂａ及び熱動弁６ａｃａを介して、配管接続口６ａａに連通している。
【００４２】
図５に示すように、往き配管ヘッダ６ｂは、本体部６ｂｂを有している。本体部６ｂｂの内部には、流路６ｂｃが設けられている。流路６ｂｃは、配管接続口６ｂａに連通している。流路６ｂｃは、配管３ｄに接続されている。本体部６ｂｂは、配管接続口６ｂａと一体に構成されている。すなわち、往き配管ヘッダ６ｂは、一体の部材により構成されている。
【００４３】
図６に示すように、戻り配管ヘッダ７は、本体部７ｂを有している。本体部７ｂの内部には、流路７ｃが設けられている。流路７ｃは、配管接続口７ａに連通している。流路７ｂは、配管３ｅに接続されている。本体部７ｂは、配管接続口７ａと一体に構成されている。すなわち、戻り配管ヘッダ７は、一体の部材により形成されている。戻り配管ヘッダ７は、断熱部材７ｄにより覆われていてもよい。
【００４４】
図７に示すように、配管接続口６ａａ、配管接続口６ｂａ及び配管接続口７ａは、底板１５から突出している。配管接続口６ａａのとび出し代、配管接続口６ｂａのとび出し代及び配管接続口７ａのとび出し代は、互いに等しい。配管接続口６ａａのとび出し代（配管接続口６ｂａのとび出し代、配管接続口７ａのとび出し代）とは、配管接続口６ａａの先端（配管接続口６ｂａの先端、配管接続口７ａの先端）と底板１５との距離である。
【００４５】
「配管接続口６ａａのとび出し代、配管接続口６ｂａのとび出し代及び配管接続口７ａのとび出し代が互いに等しい」とは、配管接続口６ａａのとび出し代、配管接続口６ｂａのとび出し代及び配管接続口７ａのとび出し代が、全て±５パーセントの範囲内にあることをいうものとする。
【００４６】
以下に、実施形態１に係る温水暖房装置１００の効果を、比較例と対比しながら説明する。
【００４７】
図８に示すように、比較例に係る温水暖房装置２００は、実施形態１に係る温水暖房装置１００と同様に、複数の配管接続口６ａａが設けられた往き配管ヘッダ６ａと、複数の配管接続口６ｂａが設けられた往き配管ヘッダ６ｂと、複数の配管接続口７ａが設けられた戻り配管ヘッダ７とを有している。
【００４８】
しかしながら、比較例に係る温水暖房装置２００においては、最も第１側板１１に近い位置にある配管接続口６ａａが、最も第１側板から遠い位置にある配管接続口６ｂａよりも第１側板１１側にある。そのため、図８中において点線で示されるように、配管接続口６ａａ及び配管接続口６ｂａと配管接続口７ａとを配管で接続するに際して、各々の配管が交差してしまうおそれがある。
【００４９】
他方、実施形態に係る温水暖房装置１００においては、最も第１側板１１に近い位置にある配管接続口６ａａが、最も第１側板から遠い位置にある配管接続口６ｂａよりも第２側板１２側にある。そのため、図３中において点線で示されるように、配管接続口６ａａ及び配管接続口６ｂａと配管接続口７ａとを配管で接続するに際して、各々の配管が交差しがたい。したがって、実施形態に係る温水暖房装置１００によると、配管の施工を容易に行うことが可能となる。
【００５０】
配管接続口６ａａのとび出し代、配管接続口６ｂａのとび出し代及び配管接続口７ａのとび出し代が互いに等しい場合、配管接続口６ａａ、配管接続口６ｂａ及び配管接続口７ａに対する配管の取り付けをさらに容易に行うことができる。
【００５１】
（実施形態２に係る温水暖房装置）
以下に、実施形態２に係る温水暖房装置１１０の構成を説明する。なお、以下においては、実施形態１に係る温水暖房装置１００の構成と異なる点を主に説明し、重複する説明は繰り返さないものとする。
【００５２】
実施形態２に係る温水暖房装置１１０は、一次熱交換器１ａと、二次熱交換器１ｂと、バーナ２と、配管３ａと、配管３ｂと、配管３ｃと、配管３ｄと、配管３ｅと、配管３ｆと、タンク４と、ポンプ５と、往き配管ヘッダ６ａと、往き配管ヘッダ６ｂと、戻り配管ヘッダ７とを有している。
【００５３】
往き配管ヘッダ６ａは、複数の配管接続口６ａａを有している。配管接続口６ａａは、第１方向ＤＲ１に沿って配列されている。配管接続口６ａａは、第１方向ＤＲ１に沿って直線状に配置されていることが好ましい。
【００５４】
往き配管ヘッダ６ｂは、複数の配管接続口６ｂａを有している。配管接続口６ｂａは、第１方向ＤＲ１に沿って配列されている。配管接続口６ｂａは、第１方向ＤＲ１に沿って直線状に配置されていることが好ましい。
【００５５】
戻り配管ヘッダ７は、複数の配管接続口７ａを有している。配管接続口７ａは、第１方向ＤＲ１に沿って配列されている。配管接続口７ａは、第１方向ＤＲ１に沿って直線状に配置されていることが好ましい。
【００５６】
戻り配管ヘッダは、往き配管ヘッダ６ａと往き配管ヘッダ６ｂとの間に配置されていることが好ましい。底板１５からの配管接続口６ａａのとび出し代、底板１５からの配管接続口６ｂａのとび出し代及び底板１５からの配管接続口７ａのとび出し代は、互いに等しいことが好ましい。
【００５７】
以上の点に関して、実施形態２に係る温水暖房装置１１０の構成は、実施形態１に係る温水暖房装置１００の構成と共通している。しかしながら、配管接続口６ａａ、配管接続口６ｂａ及び配管接続口７ａの配列の詳細に関して、実施形態２に係る温水暖房装置１１０の構成は、実施形態１に係る温水暖房装置１００の構成と異なっている。以下に、この相違点を詳述する。
【００５８】
図９に示すように、最も第１側板１１に近い位置にある配管接続口６ｂａは、最も第１側板１１から遠い位置にある配管接続口６ａａよりも、第２側板１２側にある。
【００５９】
第１側板１１からの近さの順位が同順位の配管接続口６ａａ及び配管接続口７ａが、互いに接続される。より具体的には、最も第１側板１１に近い配管接続口６ａａは最も第１側板１１に近い配管接続口７ａに接続され、２番目に第１側板１１に近い配管接続口６ａａは２番目に第１側板１１に近い配管接続口７ａに接続され、以下の順位についても同様である。
【００６０】
第２側板１２からの近さの順位が同順位の配管接続口６ｂａ及び配管接続口７ａが、互いに接続される。より具体的には、最も第２側板１２に近い配管接続口６ｂａは最も第２側板１２に近い配管接続口７ａに接続され、２番目に第２側板１２に近い配管接続口６ｂａは２番目に第２側板１２に近い配管接続口７ａに接続され、以下の順位についても同様である。
【００６１】
配管接続口６ａａは、好ましくは、第１方向ＤＲ１に沿って等間隔で配置されている。隣り合って配置されている配管接続口６ｂａは、好ましくは、第１方向ＤＲ１に沿って等間隔で配置されている。配管接続口７ａは、好ましくは、第１方向ＤＲ１に沿って等間隔で配置されていることが好ましい。
【００６２】
隣り合って配置されている配管接続口６ａａの間の距離は、距離Ｄ１となっている。隣り合って配置されている配管接続口６ｂａの間の距離は、距離Ｄ２となっている。隣り合って配置されている配管接続口７ａの間の距離は、距離Ｄ３となっている。距離Ｄ１、距離Ｄ２及び距離Ｄ３は、互いに等しいことが好ましい。「距離Ｄ１、距離Ｄ２及び距離Ｄ３が互いに等しい」とは、距離Ｄ１、距離Ｄ２及び距離Ｄ３が、全て±５パーセントの範囲内にあることをいう。
【００６３】
隣り合う配管接続口７ａの中心を結んだ直線を、直線Ｌ１とする。隣り合う配管接続口６ａａ及び配管接続口７ａの中心を結んだ直線を、直線Ｌ２とする。隣り合う配管接続口７ａ及び配管接続口６ｂａの中心を結んだ直線を、直線Ｌ３とする。直線Ｌ１、直線Ｌ２及び直線Ｌ３は、図９中において、点線により示されている。好ましくは、直線Ｌ２は、直線Ｌ１と直交している。好ましくは、直線Ｌ３は、直線Ｌ１と直交している。
【００６４】
「直線Ｌ２と直線Ｌ１が直交する」とは、直線Ｌ２と直線Ｌ１とがなす角度が９０°±５°の範囲内にあることをいう。「直線Ｌ３と直線Ｌ１が直交する」とは、直線Ｌ３と直線Ｌ１とがなす角度が９０°±５°の範囲内にあることをいう。
【００６５】
図１０に示すように、往き配管ヘッダ６ａは、配管接続口６ａａに等しい数の熱動弁６ａｅが連結された構造を有している。すなわち、往き配管ヘッダ６ａは、一体の部材により構成されている。また、往き配管ヘッダ６ａは、配管接続口６ａａに等しい数の熱動弁６ａｅが連結された構造とすることにより、配管接続口６ａａを等間隔で配置することができる。
【００６６】
以下に、実施形態２に係る温水暖房装置１１０の効果を説明する。なお、以下においては、実施形態１に係る温水暖房装置１００の効果と異なる点を主に説明し、重複する説明は繰り返さない。
【００６７】
実施形態２に係る温水暖房装置１１０において、距離Ｄ１、距離Ｄ２及び距離Ｄ３が互いに等しい場合、配管接続口６ａａと配管接続口７ａとを接続するための配管は全て平行になり、配管接続口６ｂａと配管接続口７ａとを接続するための配管は全て平行になる。そのため、この場合には、各々の配管が、さらに交差しにくくなる。
【００６８】
実施形態２に係る温水暖房装置１１０において、直線Ｌ２が直線Ｌ１と直交しており、直線Ｌ３が直線Ｌ１と直交している場合、配管接続口６ａａと配管接続口７ａとを接続するための配管及び配管接続口６ｂａと配管接続口７ａとを接続するための配管の全てが、平行となる。そのため、この場合には、各々の配管が、さらに交差しにくくなる。
【００６９】
今回開示された実施形態はすべての点で例示であって、制限的なものではないと考えられるべきである。本発明の範囲は、上記した実施の形態ではなく特許請求の範囲によって示され、特許請求の範囲と均等の意味、および範囲内でのすべての変更が含まれることが意図される。
【産業上の利用可能性】
【００７０】
上記の実施形態は、温水暖房装置に特に有利に適用される。
【符号の説明】
【００７１】
１ａ，１ｂ  熱交換器、２  バーナ、３ａ，３ｂ，３ｃ，３ｄ，３ｅ，３ｆ，３ｇ，３ｈ，３ｉ，３ｊ  配管、４  タンク、５  ポンプ、６ａ  往き配管ヘッダ、６ａａ  配管接続口、６ａｂ  第１部分、６ａｂａ  熱動弁、６ａｃ  第２部分、６ａｃａ  熱動弁、６ａｄ  連結部、６ａｄａ  流路、６ａｅ  熱動弁、６ｂ  往き配管ヘッダ、６ｂａ  配管接続口、６ｂｂ  本体部、６ｂｃ  流路、７  戻り配管ヘッダ、７ａ  配管接続口、７ｂ  本体部、７ｃ  流路、７ｄ  断熱部材、８ａ，８ｂ  温水暖房端末、１０  筐体、１１  第１側板、１２  第２側板、１３  第３側板、１４  第４側板、１５  底板、１６  天板、１００，１１０，２００  温水暖房装置、Ｄ１，Ｄ２，Ｄ３  距離、ＤＲ１  第１方向、ＤＲ２  第２方向、Ｌ１，Ｌ２，Ｌ３  直線。
【図１】
2019095105.tif 000003
【図２】
2019095105.tif 000004
【図３】
2019095105.tif 000005
【図４】
2019095105.tif 000006
【図５】
2019095105.tif 000007
【図６】
2019095105.tif 000008
【図７】
2019095105.tif 000009
【図８】
2019095105.tif 000010
【図９】
2019095105.tif 000011
【図１０】
2019095105.tif 000012